(57)【特許請求の範囲】
【請求項１】
前面に光透過な表示部を有する箱体形状の道路標識本体と前記道路標識本体の内部から前記表示部を照明する照明部とを備える道路標識において、
前記照明部は、板状の基板の前面に複数の発光ダイオードを配して構成され、
前記道路標識本体の上面の開口部に設けられた脱着可能な上蓋部と、
前記開口部から前記道路標識本体の内外への前記照明部の抜き差しを案内するとともに前記表示部を照明するのに適した位置に前記照明部を設置するためのガイド部と、
を備え、
前記照明部は、吊られながら前記ガイド部に案内されるために、左端部および右端部で支持するワイヤを有し、前記ガイド部に設置されている際には複数の照明ユニットが上下位置関係で互いに接して配置され、前記ワイヤで吊られる際には前記ワイヤに設けられたワイヤストッパにより前記複数の照明ユニットが上下位置関係で互いに間隙を有することを特徴とする道路標識。
【請求項２】
前記複数の照明ユニットのそれぞれは、上端部面および下端部面が正面または背面方向に傾斜する面であり、
前記上下位置関係で配置されている上側照明ユニットの下端部面と下側照明ユニットの上端部面とは、前記ガイド部に設置されている際には互いに面接触していることを特徴とする請求項１に記載の道路標識。
【請求項３】
前記複数の照明ユニットのそれぞれは、側面が台形形状であることを特徴とする請求項２に記載の道路標識。
【請求項４】
前記複数の照明ユニットのそれぞれは、側面が平行四辺形形状であることを特徴とする請求項２に記載の道路標識。
【請求項５】
前記ガイド部は、
前記照明部の左側または右側を案内し設置する第１のガイド部と、
前記照明部の右側または左側を案内し設置する第２のガイド部と、
を備え、
前記第１のガイド部は前記第２のガイド部を中心に回転自在に設けられていることを特徴とする請求項１乃至４の何れか１項に記載の道路標識。
【発明の詳細な説明】
【技術分野】
【０００１】
本発明は、内照式の道路標識の構造に関し、特に、前面に光透過な表示部を有する箱体形状の道路標識本体と前記道路標識本体の内部から前記表示部を照明する照明部とを備える道路標識の構造に関する。
【背景技術】
【０００２】
従来、道路に設置されている道路標識として、内部に照明装置が設けられた表示板を背面（透過）照明で照射する内照式の道路標識がある。このような道路標識は、本体ケースと、この本体ケースに対して着脱自在とされ半透光性とされた表示板と、本体ケース内に取付けられている照明装置としての蛍光灯と、適宜位置に設けられる安定器、グローランプなどの点灯装置とが設けられ、夜間には前記蛍光灯を点灯させることによって表示板の視認性を向上させるものである（例えば、特許文献１参照。）。
【０００３】
また、近年、様々な発光装置の光源として電球や蛍光灯の代わりに、消費電力が少なく寿命の長い発光ダイオード（ＬＥＤ：Light-Emitting Diode）が使われ始めている。
蛍光灯の代わりにＬＥＤを光源とした内照式の道路標識を実現しようとした場合には、照明装置として通常複数のＬＥＤを基板上に配列したＬＥＤ照明装置を用いる。
【特許文献１】特開２００２−６９９４６号公報
【発明の開示】
【発明が解決しようとする課題】
【０００４】
しかしながら、ＬＥＤと雖も永久に使用できるわけではなく、ＬＥＤ素子が断線するなどしてＬＥＤ照明装置が壊れる可能性もある。そのような場合には作業員が、道路標識を道路に設置したままの状態で通常は高所においてＬＥＤ照明装置を新しいものと交換しなければならないという問題点があった。
【０００５】
また、道路標識の本体ケースの構造的強度、美的外観などの制約から照明装置の取り出し口は、位置的あるいはサイズ的な制約があり、当該取り出し口からのＬＥＤ照明装置の交換が困難であるという問題点があった。
【０００６】
本発明は、上記事情に鑑みてなされたもので、道路に設置したままの状態で高所においても容易にＬＥＤ照明装置を交換することが可能な構造の道理標識を提供することを目的とする。
【０００７】
また、本発明は、位置的あるいはサイズ的な制約を受けた取り出し口であっても容易にＬＥＤ照明装置を交換することが可能な構造の道理標識を提供することを目的とする。
【課題を解決するための手段】
【０００８】
本発明は、上記課題を解決するため、下記のような構成を採用した。
すなわち、本発明の一態様によれば、本発明の道路標識は、前面に光透過な表示部を有する箱体形状の道路標識本体と前記道路標識本体の内部から前記表示部を照明する照明部とを備える道路標識であって、前記照明部が、板状の基板の前面に複数の発光ダイオードを配して構成され、前記道路標識本体の上面の開口部に設けられた脱着可能な上蓋部と、前記開口部から前記道路標識本体の内外への前記照明部の抜き差しを案内するとともに前記表示部を照明するのに適した位置に前記照明部を設置するためのガイド部とを備えることを特徴とする。
【０００９】
また、本発明の道路標識は、前記照明部が、吊られながら前記ガイド部に案内されるために、左端部および右端部で支持するワイヤを有することが望ましい。
また、本発明の道路標識は、前記照明部が、前記ガイド部に設置されている際には複数の照明ユニットが上下位置関係で互いに接して配置され、前記ワイヤで吊られる際には前記ワイヤに設けられたワイヤストッパにより前記複数の照明ユニットが上下位置関係で互いに間隙を有することが望ましい。
【００１０】
また、本発明の道路標識は、前記複数の照明ユニットのそれぞれが、上端部面および下端部面が前後方向に傾斜する面であり、前記上下位置関係で配置されている上側照明ユニットの下端部面と下側照明ユニットの上端部面とは、前記ガイド部に設置されている際には互いに面接触していることが望ましい。
【００１１】
また、本発明の道路標識は、前記複数の照明ユニットのそれぞれが、側面が台形形状であることが望ましい。
また、本発明の道路標識は、前記複数の照明ユニットのそれぞれが、側面が平行四辺形形状であることが望ましい。
【００１２】
また、本発明の道路標識は、前記ガイド部が、前記照明部の左側または右側を案内し設置する第１のガイド部と、前記照明部の右側または左側を案内し設置する第２のガイド部とを備え、前記第１のガイド部が前記第２のガイド部を中心に回転自在に設けられていることが望ましい。
【発明の効果】
【００１３】
本発明によれば、道路標識が道路に設置したままの状態であってかつ高所であっても、容易にＬＥＤ照明装置を交換することが可能となる。
また、本発明によれば、位置的あるいはサイズ的な制約を受けた取り出し口を有する道路標識であっても、容易にＬＥＤ照明装置を交換することが可能となる。
【発明を実施するための最良の形態】
【００１４】
以下、図面に基づいて本発明を適用した実施の形態を説明する。
図１は、内照式の道路標識の概観図である。
図１において、道路標識１は、前面に表示部２１を有する道路標識本体２と、前記道路標識本体２の内部から前記表示部２１を照明する不図示の照明部３（図２等参照）とを備える。
【００１５】
道路標識本体２は、例えば幅（横）が２４００ミリメートル、高さ（縦）が１６５０ｍｍ、奥行き（厚さ）が４００ｍｍの中空の箱体形状である。表示部２１は、例えば白色の半透明（光透過）のアクリル板や繊維シートの表面に、文字、記号、図形等の形状を切り抜いた青色や緑色の半透明のアクリル板や繊維シートを張り合わせることにより、照明部３の照明する光が背面から照射されると文字等の切り抜き部分を含め表示面２１全体が鮮明に視認できるというものである。
【００１６】
図２は、道路標識の内部の概観図であり、図３は、道路標識本体の内部の概観図である。
図２において、照明部３は、板状の基板の前面に複数の発光ダイオード３１を配して構成されたＬＥＤ照明装置であり、この発光ダイオード３１が白色光を発光することにより表示部２１を照明する。照明部３の詳細な形状等については、図６乃至図８を用いて後述する。そして、この照明部３は、表示部２１を照明するのに適した位置に設置するためのガイド部３１に案内されることにより、道路標識本体２の内部に配置されている。
【００１７】
この照明部３は、道路標識本体２の内部から取り外すことが可能であり、照明部３を道路標識本体２から取り外すと図３のようになる。
図４は、道路標識を横から見た縦断面図であり、図５は、道路標識を上から見た横断面図である。
【００１８】
図４および図５に示したように、道路標識本体２の上面には、例えば破損したり古くなったりして交換が必要になった照明部３を道路標識本体２の内部から取り出し、新しい照明部３を道路標識本体２の内部へ入れるための開口部２５が設けられている。そして、道路標識１の使用時はこの開口部２５を塞ぐために脱着可能な上蓋部２３が、不図示のビス等によって道路標識本体２に固定されている。
【００１９】
また、ガイド部２２は、開口部２５から道路標識本体２の内外への照明部３の抜き差しを案内するとともに、照明部３が表示部２１を照明するのに適した位置である道路標識本体２の内部の前面（表示部２１側）寄り、例えば表示部２１から８０ｍｍの位置に、支持部２４によって固定されている。この支持部２４は、例えば道路標識本体２の底面、背面および前面の上部とガイド部２２とを接続することにより、道路標識本体２の内部でガイド部２２を支持している。
【００２０】
次に、図６乃至図８を用いて照明部３について詳細に説明する。
上述したように、照明部３は、板状の基板の前面に複数の発光ダイオード３１を配して構成されたＬＥＤ照明装置であり、この発光ダイオード３１が白色光を発光することにより表示部２１を照明する。そして、この照明部３は、適度なサイズ、例えば縦５００ｍｍ×横４４０ｍｍのサイズの照明ユニット３Ａが複数個並べられることにより構成されている。
【００２１】
図６は、照明ユニットの斜視図であり、図７は、照明ユニットを上から見た横断面図であり、図８は、照明ユニットを横から見た縦断面図である。
図６乃至図９に示したように、照明ユニット３Ａは、縦５００ｍｍ×横４４０ｍｍの基板上に、例えば１２０個の白色の発光ダイオード３１を配している。そして、照明ユニット３Ａの上端部面および下端部面は、照明ユニット３Ａの前後方向に傾斜している。また、照明ユニット３Ａの左右両端部には、後述するワイヤ４を通すための通し穴３２が設けられている。
【００２２】
次に、図９乃至図１１を用いて照明ユニット３Ａとガイド部２２との関係について説明する。
上述したように、照明ユニット３Ａの上端部面および下端部面は、照明ユニット３Ａの前後方向に傾斜しているが、それぞれの傾斜の違いによって４通りの照明ユニット３Ａの形状が存在する。すなわち、照明ユニット３Ａの上端部面が背面側から前面側に向かって下降傾斜し下端部面が背面側から前面側に向かって上昇傾斜する第１の形状（図６、図８参照）、上端部面が背面側から前面側に向かって上昇傾斜し下端部面が背面側から前面側に向かって下降傾斜する第２の形状、上端部面および下端部面がともに背面側から前面側に向かって下降傾斜する第３の形状、上端部面および下端部面がともに背面側から前面側に向かって上昇傾斜する第４の形状である。第１および第２の形状の照明ユニット３Ａは、その側面が台形形状となり、第３および第４の形状の照明ユニット３Ａは、その側面が平行四辺形形状となっている。
【００２３】
図９は、第１および第２の形状の照明ユニットがガイド部内に配置された様子を示す図である。
図９において、上から第２の形状の照明ユニット３Ａ、第１の形状の照明ユニット３Ａ、第２の形状の照明ユニット３Ａがガイド部２２内に案内されている。そして、上下位置関係で配置されている上側の照明ユニット３の下端部面と下側の照明ユニット３の上端部面とは、ガイド部２２に設置されている際には互いに面接触している。
【００２４】
このように傾斜している面同士が面接触することにより、照明ユニット３は、ガイド部２２に押し付けられることになり、多少の振動では光源である照明ユニット３がぶれることがない。
【００２５】
図１０は、第１および第２の形状の照明ユニットが連結された様子を示す図である。
図１０において、第２、第１および第２の形状の照明ユニット３Ａから構成される照明部３は、各照明ユニット３Ａの左右両端部に設けられた通し穴３２内を通したワイヤ４によって支持され連結されている。このワイヤ４は、１本の連続したものであり、一番下の照明ユニット３Ａの下端面の下を通っており、これら３つの照明ユニット３Ａから構成される照明部３は、ワイヤ４によって吊られながらガイド部２２に案内される。なお、通し穴３２は、発光ダイオード３１が配置されている照明ユニット３Ａの前面寄りに設けられている。
【００２６】
これら複数の照明ユニット３Ａがガイド部２２に設置されている際には、これら複数の照明ユニット３Ａが上下位置関係で互いに接して配置され、ワイヤ４で吊られる際にはワイヤ４に設けられた不図示のワイヤストッパによりこれら複数の照明ユニット３が上下位置関係で互いに間隙を有する。
【００２７】
図１１は、第３の形状の照明ユニットがガイド部内に配置された様子を示す図である。
上述の図９に示した例では、異なる２種類の形状の照明ユニット３Ａを組み合わせなければならないが、図１１に示した例では、同一形状の照明ユニット３Ａを組み合わせるだけでよい。
【００２８】
図１２は、両端に配置されたＬＥＤ表示装置の取り出し方を説明するための図である。
上述したように、照明部３を道路標識本体２の内部から取り出したり挿入したりするには、道路標識本体２の上面に設けられた開口部２５を使用するが、道路標識本体２の強度的な制約等から開口部２５の大きさが制限されることがある。その場合、道路標識本体２内の左右両端側に設置される照明部３（照明ユニット３Ａ）の出し入れができなくなってしまう。
【００２９】
そこで、図１２に示すように、照明部３の左側を案内し設置する部分が、照明部３の右側を案内し設置する部分にある回転軸２６を中心に回転自在となるように、左端側のガイド部２２を構成する。
【００３０】
同様に、照明部３の右側を案内し設置する部分が、照明部３の左側を案内し設置する部分にある回転軸２６を中心に回転自在となるように、右端側のガイド部２２を構成する。
このように構成することにより、道路標識本体２内の左右両端側に設置される照明部３の出し入れが可能となる。
【００３１】
なお、この場合の支持部２４は、道路標識本体２の底面および前面の上部とのみで回転軸２６の近傍のガイド部２２と道路標識本体２とを接続することにより、道路標識本体２の内部でガイド部２２を支持している。
【００３２】
以上、本発明を適用した道路標識の実施の形態を説明してきたが、本発明は、以上に述べた実施の形態に限定されるものではなく、本発明の要旨を逸脱しない範囲内で種々の構成または形状を取ることができる。
【図面の簡単な説明】
【００３３】
【図１】内照式の道路標識の概観図である。
【図２】道路標識の内部の概観図である。
【図３】道路標識本体の内部の概観図である。
【図４】道路標識を横から見た縦断面図である。
【図５】道路標識を上から見た横断面図である。
【図６】照明ユニットの斜視図である。
【図７】照明ユニットを上から見た横断面図である。
【図８】照明ユニットを横から見た縦断面図である。
【図９】第１および第２の形状の照明ユニットがガイド部内に配置された様子を示す図である。
【図１０】第１および第２の形状の照明ユニットが連結された様子を示す図である。
【図１１】第３の形状の照明ユニットがガイド部内に配置された様子を示す図である。
【図１２】両端に配置されたＬＥＤ表示装置の取り出し方を説明するための図である。
【符号の説明】
【００３４】
１      道路標識
２      道路標識本体
３      照明部
３Ａ    照明ユニット
４      ワイヤ
２１    表示部
２２    ガイド部
２３    上蓋部
２４    支持部
２５    開口部
２６    回転軸
３１    発光ダイオード
３２    通し穴
【図１】
0004708181.tif 000002
【図２】
0004708181.tif 000003
【図３】
0004708181.tif 000004
【図４】
0004708181.tif 000005
【図５】
0004708181.tif 000006
【図６】
0004708181.tif 000007
【図７】
0004708181.tif 000008
【図８】
0004708181.tif 000009
【図９】
0004708181.tif 000010
【図１０】
0004708181.tif 000011
【図１１】
0004708181.tif 000012
【図１２】
0004708181.tif 000013